(57)【要約】      （修正有）【課題】乾式二重床から生ずる重量床衝撃音の遮断性能の向上を図ることを目的とするものであることはもちろん、普段の生活に支障をきたすことのない乾式二重床の遮音性を向上させる通気性を備えた巾木を提供する。【解決手段】乾式二重床の重量床衝撃音の遮断性を向上するために用いる巾木１０の構造を縦側面１２を広巾とし、横側面を狭巾とした長尺平板１１の下横側面１３の所望の巾にわたって、短繊維１６を植毛した細巾植毛テープのテープ裏を固定して短繊維による植毛が、該下横側面から下向きに延びる構成とするものである。【選択図】図２
0003168232.tif 000002
【実用新案登録請求の範囲】
【請求項１】
縦側面を広巾とし、横側面を狭巾とした長尺平板の下横側面の全面に、所望の巾にわたって或いは全面にわたって下横側面の下向き方向に向かって伸びる短繊維を配設して成る構成としたことを特徴とする巾木。
【請求項２】
縦側面を広巾とし、横側面を狭巾とした長尺平板の下横側面に、下横側面の長さ方向に向かった細巾溝を穿設し、該細巾溝に短繊維を細巾テープに植毛した細巾植毛テープの細巾テープを嵌め込んで該細巾植毛テープに植毛した短繊維を溝からのぞませて固定して成る構成としたことを特徴とする巾木。
【考案の詳細な説明】
【技術分野】
【０００１】
本考案は集合住宅やビルディングの建築様式に採用される乾式二重床の遮音性を向上させるため、壁材面と該壁材面に対向して床スラグに床つかに支持して配設する床版に張り合わされた浮き床から成る床材の側面の間にわずかな隙間を設けた構造形式としたときにその遮音機能を発揮させるため該隙間に配設する巾木に関する考案である。
【背景技術】
【０００２】
集合住宅やビルディング等において採用されている従来の建築様式として採用される乾式二重床は、図４に図示するような構造形式として作られている。この建築様式の乾式二重床から生ずる騒音は、古くからの構造形式として採用されていた直貼床に比べて床衝撃音中の重量床衝撃音、即ち、居住者や来訪者による室内或いは廊下での立ち振る舞いや特に小児の活発な活動による床の踏み付けなどにより床材にかけられた衝撃荷重による床材の変形により乾式二重床を構成する床フラプと床材の間に形成される空間中の空気圧の変動が生じたときにこの空気圧の変動が原因して発生する床上下記音に対する遮断性能が劣るといわれている。これは乾式二重床が、構造形式からして床スラブ面と床版３と浮き床４を貼り合わせた床材の間に形成される空間に溜まり込んだ空気が居住者による前記行動による床材に対する押圧によって、乾式二重床に形成される空間中の空気圧を変動することにより生ずる重量床衝撃音を増幅させてしまうからである。この増幅を低減するためにこれまでは乾式二重床を構成する壁材と床材との間に空気抜隙間を形成し、その隙間に巾木を配設する手段を講じることが考えられていた。この不都合を解消するために開発された考案が、特開２００２−８１１９８３号公報や特開２００３−２７８３７７号公報に記載されている。しかし、前記文献に記載された巾木は構造が複雑で、その機能も十分発揮できないと言う不都合があった。
【先行技術文献】
【特許文献】
【０００３】
【特許文献１】・・・特開２００２−８１１９８３号公報
【特許文献２】・・・特開２００３−２７８３７７号公報
【考案の概要】
【考案が解決しようとする課題】
【０００４】
乾式二重床から生ずる床衝撃音の問題の解決は、生活時間の異なる現代社会において、集合住宅やビルディング等の居住者にとっては非常に大きな課題となっている。
【０００５】
その対策として、乾式二重床の床下部分の空気を抜く穴を床面に開けることにより、乾式二重床から生ずる重量床衝撃音の遮断性能が向上することは数多くの実験や研究により、すでに明らかとなっている。しかしながら、穴の開けられた床では生活に種々な支障をきたすため、重量床衝撃音の遮断性能を向上させるための上記穴開けによる改善案は、いまだ普及に至っていないのが実情である。
【０００６】
本考案は、従来の上記問題点を解決するためのものであって、乾式二重床から生ずる重量床衝撃音の遮断性能の向上を図ることを目的とするものであることはもちろん、普段の生活に支障をきたすことのない乾式二重床の遮音性を向上させる通気性を備えた巾木の提案を目的としている。
【課題を解決するための手段】
【０００７】
本考案は、乾式二重床の重量床衝撃音の遮断性を向上するために用いる巾木の構造を図示しない縦側面を広巾とし、横側面を狭巾とした長尺平板の下横側面の側に、短繊維を植毛した細巾植毛テープのテープ裏を固定して短繊維による植毛が、該下横側面から下向きに延びる構成とするものである。その構成は、該長尺平板の縦側面の一方の側面の下辺寄りを、長さ方向に向かって所定の深さに切り落とした切り削ぎ面とし、該切り削ぎ面の上辺側切り落とし面を、該長尺平板の下辺に沿った水平切り削ぎ面とし、該水平切り削ぎ面に、該長尺平板の下横面からはみ出る長さの短繊維を植毛した細巾テープのテープ裏を接着固定した構成とし、更に、図１に図示するように縦側面を広巾とし、横側面を狭巾とした長尺平板の下横側面に、下横側面の長さ方向に向かった細巾溝を穿設し、該細巾溝に短繊維を細巾テープに植毛した細巾植毛テープの細巾テープを嵌め込んで該細巾植毛テープに植毛した短繊維を溝からはみ出させて固定して成る構成とした。
【考案の効果】
【０００８】
本考案によれば、集合住宅やビルディング等の建築様式として採用されている乾式二重床の床下部分の空気は、壁材面と壁材面に対向して配置された床材の側面との間に形成された空気抜機能を発揮する隙間を形成し、このエア通路とし、この通路から室内へ放出されるようになっており、床下部分の空気が該エア通路から、室内に放出する過程で床材面に接する巾木に配設された短繊維の植毛の隙間から抜け出るようになっているので乾式二重床から生ずる重量床衝撃音の遮断性能が向上することはもちろん、エア通路が巾木の下横側面に短繊維を植設した植毛が下向きに形成されているのでその通路は居住者の視線からはほとんどわからない状態となっており、生活上まったく違和感のない、二重床の遮音性を向上させる通気性を備えた巾木として提供できる。
【図面の簡単な説明】
【０００９】
【図１】本考案の巾木を乾式二重床を構成する壁材面と浮き床面の側面の間の隙間に配設したときの断面図
【図２】本考案に係る巾木の斜視図
【図３】巾木の植毛配設箇所の断面図
【図４】乾式二重床の構造略図
【実施例】
【００１０】
本考案の乾式二重床の遮音性を向上させる通気性を備えた巾木の構造並びに該巾木を乾式二重床の床面に配設して該巾木による遮音性を発揮する実施の形態について図面に基づいて説明する。図１は、本考案の乾式二重床の遮音性を向上させるための通気性を備えた巾木を用いた重量床衝撃音の遮断機構を説明するための概略断面図である。図２は、本考案に係る巾木の斜視図である。図３は、図２に示した巾木の要部の断面図である。図４は従来の乾式二重床の構造説明図である。
【００１１】
図１について説明する。図中１は通常の集合住宅やビルディング等における乾式二重床の床構造を示している。すなわち、建造物の乾式二重床の構造１は、プレキャストコンクリート板やハーフＰＣ板等からなる床スラブ２上に、床版３と一体に貼り合わせた浮き床４が床材５として床つか６を介して支持されたものとなっている。したがって、床スラブ２と浮き床４並びに床版３を貼り合わせた床材５との間には床下７に空気が留まる空間７が形成されていることになる。
【００１２】
上記乾式二重床構造１から成る建造物は、壁材８と床スラブ２並びに床版３と浮き床４を貼り合わせた床材５とで集合住宅やビルディング等の区画室が構築されることになっている。本考案の巾木１０を配設する乾式二重床においては壁体８の面と該弊材８面と対向する床版３に浮き床４を貼り合わせた床材５の側面との間にわずかな巾の隙間９が形成されることになっている。
【００１３】
そしてその隙間９の上面には、巾木１０が下横側面を下向きにして配設される。
【００１４】
この巾木１０は下横側面を図２、図３に示すように短繊維１６により下横側面が通気性を備えた植毛１６を配設して形成されており、前記した短繊維１６による植毛は前記した壁体８面に対向する前記床材５の側面に沿って位置づけされて配設されることになっている。
【００１５】
この構成の下で床版３に貼り合わせた浮き床４から成る床材５に前記した人たちの立ち振る舞いや小児の活発な活動によって招ずる衝撃荷重である重量衝撃荷重（大きい矢印）がかけられることによって床版３を貼り合わせた浮き床４による床材５がきしむことになり、そのきしみによる振動が床材５に発生すると、床材５と床スラブ２の間に形成する床下７の空間内にある空気に衝撃圧による振幅が発生する。この空気の振幅がいわば太鼓を打ったときに生ずる現象と同じ現象を引き起こすことになり、これが重量衝撃音となると考えられる。重量床衝撃音の生ずるのを阻止するためにはこの圧力を床剤５と床スラブ２の間の床下７の空間部分から上記隙間９を経て床下７の空気を矢印Ａ、同Ｂに示すルートで各区画室内側へ放出することで逃がし、コンクリート製の床スラブ２への衝撃圧による振動伝播を低減し、階下へ影響を与えるのを防止することができるようになるのである。
【００１６】
上記した壁材８面と該壁材８面に対向する床版３に浮き床４を貼り合わせた床材５の側面との間に形成した隙間９に配設する本考案に係る巾木１０は、図２および図３に示すような構造により通気性を備えている。すなわち巾木１０は、壁体８に木ネジ等の従来普通に行われる手段で固定された取付板（図示しない）に着脱自在に装着できるように構成（図示しない）されている。したがって、巾木１０が損傷を受けた場合等においては、巾木１０のみ簡単に取り換えることができる。
【００１７】
壁材８面と、該壁材８面に対向してする側に該壁材８面と若干の隙間９をあけて、床版３に浮き床４を貼り合わせた床材５の側面を位置して配設する乾式二重床において、該壁体面と床版３に該浮き床４を貼り合わせた床材５の側面との間に形成される若干の隙間９上に、上記構成から成る巾木１０の下横面を位置させるとともに上記床材５に貼り合わせた浮き床４の面に床材５の側面に上記隙間９に沿って、上記巾木１０の下横側面に配設した細巾植毛テープ１５に植設された短繊維１６を位置させて定着する。
【００１８】
本考案の係る巾木の構成を説明する。
本考案に係る巾木１０は、縦側面１２を広巾とし、横側面を狭巾とした長尺平板１１として形成して、その下横側面には、短繊維を所望の巾にわたって、或いは全面にわたって全面にわたって下向きに延びる植毛として構成している。その構成の一例を示すと、該長尺平板の縦側面の一方の側面の下辺寄りを、長さ方向に向かって所定の深さに切り落とした切り削ぎ面とし、該切り削ぎ面の上辺側切り落とし面を、該長尺平板の下辺に沿った水平切り削ぎ面とし、該水平切り削ぎ面に、該長尺平板の下横側面からはみ出る長さの短繊維を植毛した細巾テープのテープ裏を接着固定した構成とすることもあり、更に、前記長尺平板の下横側面に沿って、且つ、下横側面方向に延長した短繊維による植毛を植設する構成とする。その手段の具体的な一例を示すと図２、図３に図示するように該長尺平板１１の下横側面１３に、長さ方向に向かった細巾溝１４が穿設された構成とし、その下横側面に穿設された細巾溝１４には、下横側面からはみ出る長さの短繊維１６を植毛した細巾植毛テープ１５のテープ裏がしっかりと剥がれないように固定されて嵌め込まれた構成とし、この嵌め込みは、細長テープを強制的に嵌め込む方法であってもよければ接着剤を用いた嵌め込み手段を用いてもよい。その細巾植毛テープの嵌め込み或いは取付は、細長テープに植毛した短繊維が前記細巾溝から先端をのぞかせて嵌め込む構成とする。
【００１９】
前記した長尺平板は木製で造られるものであるだけでなく、合成樹脂製のものであることもあることは勿論である。
この巾木は木製或いは合成樹脂製である。この短繊維は天然繊維であることもあり、合成樹脂繊維であることもある。
下横側面には短繊維をベタ植することもある。
上記した短繊維は天然繊維で作られたものを用いてもよいが、耐湿性等を考慮すると合成樹脂で作られたものを用いることが予定されている。
【００２０】
上記した構成から成る本考案に係る巾木１０の用法を説明する。
乾式二重床の壁体面に対向して配する床材の側面は、コンクリート製の床フラプ２と浮き木４を貼り合わせた床材５の間の空気圧の変動によって生ずる床衝撃音中の重畳床衝撃音の増幅を阻止するため、壁体面と床材面とを若干隙間９をあけて構成させることになっている。
本考案の巾木は、巾木に配設した短繊維による植毛を床材を構成する浮き床面の壁材側に位置する側に沿って配設する。その一例を示すと図１に図示するようにこの隙間を塞ぐよう巾木の裏縦側面を壁体面に密着し、巾木の下横側面に穿設した細巾溝に嵌め込んだ細巾植毛テープの細長テープに植毛された短繊維の先端を二重床の浮き床面に当接させて配設する。
【００２１】
上記した構成から成り、上記した用法で使用する本考案に係る巾木１０の機能を説明する。
床材の押圧によるたわみに対して必要以上の空気圧をかけない（短繊維はもともとしなやかな状態で植毛されているので空気抜きとして十分な機能を発揮する。）従って、床材の押圧によるゆがみ（歪み）が生じることは極力阻止することができる。また、乾式二重床の床材の押圧により、床材５と床スラブ２の間の空間に生じた空気圧は、図１に示すように矢印Ａ、同Ｂの通路を通って空間外に逃げることになる。巾木に先行技術文献に形成したような付属機材を取り付けるような通気口を設ける必要がない。
【符号の説明】
【００２２】
２    床スラブ
３    床版
４    浮き床
５    床材
６    床つか
７    床下
８    壁材
９    隙間
１０  巾木
１１  長尺平板
１２  縦側面
１３  下横側面
１４  細巾溝
１５  細巾植毛テープ
１６  短繊維
【図１】
0003168232.tif 000003
【図２】
0003168232.tif 000004
【図３】
0003168232.tif 000005
【図４】
0003168232.tif 000006